(57)【要約】【課題】Ｘ線センサカセッテを、カセッテホルダーに着脱作業が完了するまでの一定の間、装置の電源を切ることなくＸ線センサカセッテへの電源等の供給を遮断し、Ｘ線センサカセッテの装着が完了している場合のみ自動的にＸ線センサカセッテに電源等を供給するためのＸ線センサカセッテ着脱機構を提供する。【解決手段】カセッテホルダー部に設けられたＸ線センサカセッテ着脱用ノブと、着脱用ノブと連動して回転する偏芯カムと、この偏芯カムの回転に伴って移動する上下動機構と、Ｘ線センサカセッテ有無検出センサと、カセッテホルダー部とＸ線センサカセッテの電気的接続検出用のカセッテ接続検出用センサとによって構成されているＸ線センサカセッテ着脱機構により、装置の電源を切ることなくＸ線センサカセッテへの電源等の供給を遮断し、Ｘ線センサカセッテの装着が完了している場合のみ自動的にＸ線センサカセッテに電源等を供給する。【選択図】  図１
2004261427.tif 000002
【特許請求の範囲】
【請求項１】
パノラマＸ線撮影用のカセッテホルダー部及びセファロＸ線撮影用のカセッテホルダー部のいずれにも着脱可能に装着できるＸ線センサカセッテを用いた、所謂デジタル式の歯科用パノラマ・セファロ兼用型Ｘ線撮影装置において、Ｘ線センサカセッテをパノラマ撮影用あるいはセファロ撮影用のいずれかのカセッテホルダーに着脱作業が完了するまでの一定の間、装置の電源を切ることなくＸ線センサカセッテへの電源、または、Ｘ線センサカセッテへの電源及び各信号の供給を遮断し、前記Ｘ線センサカセッテの装着が完了している場合のみ自動的にＸ線センサカセッテに電源、または、Ｘ線センサカセッテへの電源及び各信号を供給するためのＸ線センサカセッテ着脱機構を設けたことを特徴とする歯科用パノラマ・セファロ兼用型Ｘ線撮影装置。
【請求項２】
前記Ｘ線センサカセッテ着脱機構は、Ｘ線センサカセッテの挿入用ガイド機構と、前記カセッテホルダー部に設けられたＸ線センサカセッテ着脱用ノブと、Ｘ線センサカセッテ着脱用ノブと連動して回転する偏芯カムと、この偏芯カムの回転に伴ってガイド手段に沿って移動するＸ線センサカセッテへの電源等供給手段を設けた上下動機構と、Ｘ線センサカセッテが所定の位置に有るか否かを判定するＸ線センサカセッテ有無検出センサと、前記カセッテホルダー部と前記Ｘ線センサカセッテの電気的接続のためのＸ線センサカセッテ接続検出用センサとによって構成されていることを特徴とする請求項１記載の歯科用パノラマ・セファロ兼用型Ｘ線撮影装置。
【請求項３】
前記カセッテホルダー部に設けられたＸ線センサカセッテ着脱用ノブは、半円状をしたハーフターンノブで、このノブを反時計方向へ１８０度回転すると、カセッテホルダー部へのＸ線センサカセッテの着脱口が開の状態になり、また前記上下動機構の上方への移動による前記Ｘ線センサカセッテ接続検出センサの解除信号でＸ線センサカセッテへの電源、または、Ｘ線センサカセッテへの電源及び各信号の供給が遮断されると共に電源等供給手段が上方に移動し、Ｘ線センサカセッテの着脱が可能となる。次ぎにＸ線センサカセッテを挿入用ガイド機構に沿って所定の位置まで挿入した後、前記したＸ線センサカセッテ着脱用ノブを時計方向へ１８０度反転するとＸ線センサカセッテの着脱口が閉の状態になり、Ｘ線センサカセッテが所定の位置に挿入されたことを示すＸ線センサカセッテ有無検出センサの信号と、前記上下動機構の下方への移動によるＸ線センサカセッテ接続検出センサからの接続信号で、Ｘ線センサカセッテへの電源、または、Ｘ線センサカセッテへの電源及び各信号の供給が行われることを特徴とした請求項１及び請求項２記載の歯科用パノラマ・セファロ兼用型Ｘ線撮影装置。
【発明の詳細な説明】
【０００１】
【発明の属する技術分野】
本発明は、歯科用パノラマ・セファロ兼用型Ｘ線撮影装置に関する。
【０００２】
さらに詳しくは、Ｘ線センサカセッテの着脱時にＸ線センサカセッテへの電源等供給を遮断し、Ｘ線センサカセッテの装着が完了している場合のみ自動的にＸ線センサカセッテに電源等を供給するためのＸ線センサカセッテ着脱機構を設けた歯科用パノラマ・セファロ兼用型Ｘ線撮影装置に関する。
【０００３】
【従来の技術】
Ｘ線センサカセッテを使用するデジタル式の歯科用パノラマＸ線撮影装置及び歯科用セファロＸ線撮影装置並びに歯科用パノラマ・セファロ兼用型Ｘ線撮影装置において、Ｘ線センサカセッテの着脱時におけるＸ線センサカセッテの電源等の遮断は、装置の電源をＯＦＦして電源等の供給を遮断している。これには、その都度、装置の電源スイッチが配置されている所へ行き電源をＯＦＦする必要がある。またＸ線センサカセッテの装着が完了すると、再び装置の電源をＯＮする必要があるため、装置の電源スイッチの配置されている所へ行くことになる。このようにＸ線センサカセッテの着脱時に装置の電源をＯＦＦすることは、非常に手間がかかり不便である。さらにＸ線センサカセッテへの電源等の供給を遮断せずにＸ線センサカセッテの着脱を行ってしまう可能性がある。この時には、Ｘ線センサカセッテの電気的接続部分に当たるコネクタまたは接点、さらにはＸ線センサカセッテ自体を破損する恐れが生じる。
【０００４】
【発明が解決しょうとする課題】
本発明は、以上の状況に鑑みなされたもので、その解決しょうとする課題は、Ｘ線センサカセッテを用いた歯科用パノラマ・セファロ兼用型Ｘ線撮影装置において、Ｘ線センサカセッテをパノラマ撮影用あるいはセファロ撮影用のいずれかのカセッテホルダーに着脱作業が完了するまでの一定の間、装置の電源を切ることなくＸ線センサカセッテへの電源等の供給を遮断し、Ｘ線センサカセッテの装着が完了している場合のみ自動的にＸ線センサカセッテに電源等を供給するためのＸ線センサカセッテ着脱機構を提供することを目的とする。
【０００５】
【課題が解決しようとする手段】
本発明は、デジタル式の歯科用パノラマ・セファロ兼用型Ｘ線撮影装置において、Ｘ線センサカセッテをパノラマ撮影用あるいはセファロ撮影用のいずれかのカセッテホルダーに着脱作業が完了するまでの一定の間、装置の電源を切ることなくＸ線センサカセッテへの電源等の供給を遮断し、Ｘ線センサカセッテの装着が完了している場合のみ自動的にＸ線センサカセッテに電源等を供給するためのＸ線センサカセッテ着脱機構を設け、このＸ線センサカセッテ着脱機構は、Ｘ線センサカセッテの挿入用ガイド機構と、カセッテホルダー部に設けられたＸ線センサカセッテ着脱用ノブと、Ｘ線センサカセッテ着脱用ノブと連動して回転する偏芯カムと、この偏芯カムの回転に伴ってガイド手段に沿って移動するＸ線センサカセッテへの電源等供給手段を設けた上下動機構と、Ｘ線センサカセッテが所定の位置に有るか否かを判定するＸ線センサカセッテ有無検出センサと、カセッテホルダー部とＸ線センサカセッテの電気的接続のためのＸ線センサカセッテ接続検出用センサとによって構成されている。
【０００６】
【発明の実施の形態】
本発明におけるＸ線センサカセッテ着脱機構は、Ｘ線センサカセッテの挿入用ガイド機構と、カセッテホルダー部に設けられたＸ線センサカセッテ着脱用ノブと、Ｘ線センサカセッテ着脱用ノブと連動して回転する偏芯カムと、この偏芯カムの回転に伴ってガイド手段に沿って移動するＸ線センサカセッテへの電源等供給手段を設けた上下動機構と、Ｘ線センサカセッテが所定の位置に有るか否かを判定するＸ線センサカセッテ有無検出センサと、カセッテホルダー部とＸ線センサカセッテの電気的接続のためのＸ線センサカセッテ接続検出用センサとによって構成されており、装置の電源を切ることなくＸ線センサカセッテへの電源等の供給を遮断し、Ｘ線センサカセッテの装着が完了している場合のみ自動的にＸ線センサカセッテに電源等を供給する。
【０００７】
【実施例】
以下、実施例に基づいて説明する。図１は、本発明の１実施例であり、図２はこの発明に係る制御回路のブロック図の１例を示す。図１に示すＸ線センサカセッテ着脱機構は、Ｘ線センサカセッテ１の挿入用ガイド機構２と、カセッテホルダー部３に設けられたＸ線センサカセッテ着脱用ノブ４と、Ｘ線センサカセッテ着脱用ノブ４と連動して回転する偏芯カム５と、この偏芯カム５の回転に伴ってガイド手段に沿って移動するＸ線センサカセッテ１への電源等供給手段を設けた上下動機構６と、Ｘ線センサカセッテ１が所定の位置に有るか否かを判定するＸ線センサカセッテ有無検出センサ７と、カセッテホルダー部３とＸ線センサカセッテ１の電気的接続のためのＸ線センサカセッテ接続検出用センサ８によって構成されている。カセッテホルダー部３に設けられたＸ線センサカセッテ着脱用ノブ４は、半円状をしたハーフターンノブで、このノブを反時計方向へ１８０度回転すると、カセッテホルダー部３へのＸ線センサカセッテ１の着脱口が開の状態になり、また上下動機構６の上方への移動によるＸ線センサカセッテ接続検出センサ８の解除信号でＸ線センサカセッテ１への電源等の供給が遮断されると共に電源等供給手段が上方に移動し、Ｘ線センサカセッテ１の着脱が可能となる。次ぎにＸ線センサカセッテ１を挿入用ガイド機構２に沿って所定の位置まで挿入した後、Ｘ線センサカセッテ着脱用ノブ４を時計方向へ１８０度反転するとＸ線センサカセッテ１の着脱口が閉の状態になり、Ｘ線センサカセッテ１が所定の位置に挿入されたことを示すＸ線センサカセッテ有無検出センサ７の信号と、上下動機構６の下方への移動によるＸ線センサカセッテ接続検出センサ８からの接続信号で、Ｘ線センサカセッテ１への電源等の供給が行われる。またＸ線センサカセッテ１の接続部分がＸ線センサカセッテ１の上面側に配置しているため、Ｘ線センサカセッテ１の接続は、上方よりのアクセスだけであり且つＸ線センサカセッテ１が正中ライン９上に来るように配置しているためＸ線センサカセッテ１の取り付けに左右の制限がなくなる。よってセファロ撮影におけるセファロスタッドの右付け及び左付けによる制限を受けない構造になっている。
【０００８】
【発明の効果】
本発明は、以上に説明した形態で実施され、Ｘ線センサカセッテを用いた歯科用パノラマ・セファロ兼用型Ｘ線撮影装置において、Ｘ線センサカセッテをパノラマ撮影用あるいはセファロ撮影用のいずれかのカセッテホルダーに着脱作業が完了するまでの一定の間、装置の電源を切ることなくＸ線センサカセッテへの電源等の供給を遮断し、Ｘ線センサカセッテの装着が完了している場合のみ自動的にＸ線センサカセッテに電源等を供給することがてきる。さらにＸ線センサカセッテへの電源供給を遮断せずにＸ線センサカセッテの着脱を行った場合のＸ線センサカセッテの電気的接続部分に当たるコネクタまたは接点、さらにはＸ線センサカセッテ自体の破損を防ぐことができる。
【０００９】
【図面の簡単な説明】
【図１】
本発明の１実施例である。
【図２】
本発明の制御回路ブロック図である。
【符号の説明】
１  Ｘ線センサカセッテ
２  挿入用ガイド機構
３  カセッテホルダー部
４  Ｘ線センサカセッテ着脱用ノブ
５  偏芯カム
６  上下動機構
７  Ｘ線センサカセッテ有無検出センサ
８  Ｘ線センサカセッテ接続検出用センサ
９  正中ライン
【図１】
2004261427.tif 000003
【図２】
2004261427.tif 000004